(57)【要約】【課題】配線工事の手間が省ける電力線搬送のメリットを生かしつつ、同じ負荷制御装置での負荷に対する制御形態を種々に設定できる電力線搬送制御システムを提供することにある。【解決手段】電力線２は、照明負荷４をオン／オフするためのリレー内蔵スイッチ装置３と、負荷操作専用のスイッチ装置５とを接続してシステムを構築してある。リレー内蔵スイッチ装置３又はスイッチ装置５の操作スイッチＳＷ１の操作があると、当該操作スイッチＳＷ１に対して設定している制御内容に応じた制御情報を含む制御信号が電力線２上に電力線搬送信号によって重畳されて伝送される。上記操作スイッチＳＷ１に対応関係が設定されているリレー内蔵スイッチ装置３では、電力線搬送信号により送られてきた制御信号の制御情報が示す制御内容に応じて内蔵リレーを制御して照明負荷４を点灯／消灯させる制御を行う。【選択図】図１
2005184555.tif 000002
【特許請求の範囲】
【請求項１】
電力線に接続され、操作スイッチの操作があると、該操作スイッチに対応している制御内容に応じた制御情報を、前記電力線上に接続され対応関係が設定されている負荷制御装置へ電力線搬送信号により送信する操作装置と、
前記電力線に接続され、前記電力線搬送信号を受信する受信手段と、該受信した電力線搬送信号により送られてきた制御情報が示す制御内容に応じて、前記電力線と制御対象負荷との間に挿入しているスイッチ要素を制御する制御手段とを備えた前記負荷制御装置とから成ることを特徴とする電力線搬送制御システム。
【請求項２】
前記操作装置には、前記電力線上に接続された負荷制御装置に対応する操作スイッチを備え、操作された操作スイッチに予め対応付けされている負荷制御装置に対する制御情報を電力線搬送信号により送信することを特徴とする請求項１記載の電力線搬送制御システム。
【請求項３】
前記負荷制御装置には、前記スイッチ要素をオン／オフさせる操作スイッチを備えていることを特徴とする請求項１又は２記載の電力線搬送制御システム。
【請求項４】
前記操作装置や負荷制御装置の動作に必要な設定情報を作成する機能をソフトウェアで実現するパーソナルコンピュータと、該パーソナルコンピュータの通信手段と前記電力線との間に介在してパーソナルコンピュータ上で作成された設定情報を電力線搬送信号により電力線上に伝送するアダプタとをデータ設定手段として備え、操作装置、負荷制御装置には電力線搬送信号により自己宛に送られてくる設定情報を受信すると、メモリ上に設定情報を登録する設定手段を備え、登録された当該設定情報に基づいて動作することを特徴とする請求項１乃至３の何れか記載の電力線搬送制御システム。
【発明の詳細な説明】
【技術分野】
【０００１】
本発明は、照明負荷等を遠隔制御する電力線搬送制御システムに関するものである。
【背景技術】
【０００２】
照明負荷等の負荷を制御するシステムとして、専用の信号線を用いて遠隔制御と監視を行うシステムが従来からあるが、このシステムは、負荷への電力供給のための電力線と、信号線とを必要とするため、配線工事に手間がかかっていた。
【０００３】
そこで、負荷への電力供給と信号伝送とを電力線を用いて行うことで、配線工事の手間を少なくするシステムが提供されている（例えば、特許文献１）。
【０００４】
このシステムは、負荷を接続する給電コネクタ内に電力線を用いたネットワークに接続されるサーバからの電源遮断要求などによって負荷への電源遮断を行う構成となっている。また各給電コネクタに接続される各種負荷の位置情報や、状態を通信サーバ等で管理するようなっている。
【特許文献１】特開２００２−７７１９１号公報
【発明の開示】
【発明が解決しようとする課題】
【０００５】
上記の特許文献１に記載されたシステムでは、給電遮断は負荷の待機電力の遮断などを目的としており、電力線に接続した操作装置により負荷を操作することはできず、また負荷を制御する内容を給電コネクタ側で自由に変更できないという課題があった。
【０００６】
本発明は、上記の点に鑑みた為されたもので、配線工事の手間が省ける電力線搬送のメリットを生かしつつ、同じ負荷制御装置での負荷に対する制御形態を種々に設定できる電力線搬送制御システムを提供することにある。
【課題を解決するための手段】
【０００７】
上述の目的を達成するために請求項１の発明では、電力線に接続され、操作スイッチの操作があると、該操作スイッチに対応している制御内容に応じた制御情報を、前記電力線上に接続され対応関係が設定されている負荷制御装置へ電力線搬送信号により送信する操作装置と、前記電力線に接続され、前記電力線搬送信号を受信する受信手段と、該受信した電力線搬送信号により送られてきた制御情報が示す制御内容に応じて、前記電力線と制御対象負荷との間に挿入しているスイッチ要素を制御する制御手段とを備えた前記負荷制御装置とから成ることを特徴とする。
【０００８】
請求項１の発明によれば制御情報を伝送する通信線として電力線を用いるため、一般の住宅に配線されている電源線をそのまま用いることができ、別途通信線を必要とせず、配線施工も容易であり、しかも操作装置側で操作スイッチの操作に対応して送信する制御内容を設定するだけで、負荷制御装置での負荷に対する制御を種々の制御形態とすることができ、そのため制御内容毎に別の負荷制御装置を設ける必要がない。
【０００９】
請求項２の発明では、請求項１の発明において、前記操作装置には、前記電力線上に接続された負荷制御装置に対応する操作スイッチを備え、操作された操作スイッチに予め対応付けされている負荷制御装置に対する制御情報を電力線搬送信号により送信することを特徴とする。
【００１０】
請求項２の発明によれば、電力線に操作装置を接続して操作スイッチに対応して制御内容を設定することで、負荷制御装置を制御内容で制御することができるものであり、操作装置を多カ所に設置することで、多カ所から負荷制御の操作が可能となる。
【００１１】
請求項３の発明では、請求項１又は２の発明において、前記負荷制御装置には、前記スイッチ要素をオン／オフさせる操作スイッチを備えていることを特徴とする。
【００１２】
請求項３の発明によれば、電力線搬送信号による負荷制御ができない場合でも、負荷制御装置で負荷制御が行える。
【００１３】
請求項４の発明では、請求項１乃至３の何れかの発明において、前記操作装置や負荷制御装置の動作に必要な設定情報を作成する機能をソフトウェアで実現するパーソナルコンピュータと、該パーソナルコンピュータの通信手段と前記電力線との間に介在してパーソナルコンピュータ上で作成された設定情報を電力線搬送信号により電力線上に伝送するアダプタとをデータ設定手段として備え、操作装置、負荷制御装置には電力線搬送信号により自己宛に送られてくる設定情報を受信すると、メモリ上に設定情報を登録する設定手段を備え、登録された当該設定情報に基づいて動作することを特徴とする。
【００１４】
請求項４の発明によれば、専用設定器を用いることなく、電力線にアダプタを介してパーソナルコンピュータを接続するだけで、電力線上の負荷制御装置や操作装置に対して動作に必要な設定情報を電力線搬送信号で送ることができ、パーソナルコンピュータを用いることで、容易に設定情報の内容の変更も容易に行え、しかもシステムが使用する電力線上であれば何れの場所でも設定が行える。
【発明の効果】
【００１５】
本発明は、制御情報を伝送する通信線として電力線を用いるため、一般の住宅に配線されている電源線をそのまま用いることができ、別途通信線を必要とせず、配線施工も容易であり、しかも操作装置側で操作スイッチの操作に対応して送信する制御内容を設定するだけで、負荷制御装置での負荷に対する制御を種々の制御形態とすることができ、そのため制御内容毎に別の負荷制御装置を設ける必要がないという効果がある。
【発明を実施するための最良の形態】
【００１６】
以下本発明を一実施形態により説明する。
【００１７】
図１は本発明の電力線制御システムの全体構成を示しており、このシステムでは例えば住居内に分電盤１から配線されている電力線２に、例えば照明負荷４を制御する負荷制御装置たるリレー内蔵スイッチ装置３と、照明負荷４を操作するための操作専用の操作装置たるスイッチ装置５とを基本構成として設け、この基本構成に加えて電力線搬送制御システムの電力線搬送信号と専用信号線７で使用される外部信号とをインターフェースするためのコントロールユニット６を備えている。
【００１８】
このコントロールユニット６に接続される専用信号線７上にはイーサーネット（Ｒ）を用いたＬＡＮ１０と専用信号線７とでそれぞれ使用するプロトコルの変換を行うホームゲートウェイ８や住宅内の設備機器をトータルにコントロールするための集中操作ユニット９が接続されている。
【００１９】
また電力線２には後述する電力線通信アダプタ１１を介して設定ツールを構成するパーソナルコンピュータ（以下パソコン）１２をシステムに接続することができるようになっている。また単相３線式の電力線が用いられる場合、中性線と一方の相との２線に重畳された電力線搬送信号は、中性線と他方の相との２線側には送ることができないので、両相の電力線の間で電力線搬送信号の伝送を可能とするための機能を備えた異相カプラ１３を分電盤１内を設けてある。尚図示していないが、電力線２上には複数のリレー内蔵スイッチ装置３と、スイッチ装置５とが複数接続されているものとする。
【００２０】
さて本発明の電力線搬送制御システムの主要部の一つであるリレー内蔵スイッチ装置３は図２（ａ）（ｂ）の外観図で示すように、スイッチボックス用の取付枠１４を一体に設けてある２連形の装置本体１５の正面部には、図２（ｃ）に示す操作スイッチＳＷ１を操作するための操作ハンドル１６が装着され、その操作ハンドル１６の中央部には操作ハンドル１６が何を操作制御させるものかを記載をするためのネーム表示部１７を設け、また操作ハンドル１６の片側には当該リレー内蔵スイッチ装置３のリレー（図示せず）により制御される照明負荷４のオン／オフ状態を２色発光で表示する負荷状態表示ランプＬＡを臨ましている。
【００２１】
また装置本体１５の裏面部には、電力線２を接続するための電源端子１８、照明負荷４を接続するための負荷端子１９を設けてある。
【００２２】
更に操作ハンドル１６を外した状態で露出する装置本体１５の正面には、図２（ｃ）に示すように、操作スイッチＳＷ１の他に、後述する設定を行う際に当該装置３を設定ツールたるパソコン１２に認識させるための設定スイッチＳＷ２と、電力線２上に電力線搬送信号を送信しているときに点灯させるＰＬＣモニタランプＬＢと、内蔵リレー（図示せず）を電力線搬送信号による制御とは関係無く強制的にオン／オフさせるための強制オン／オフスイッチＳＷ３を設けてある。尚装置本体１５には図１に示すように化粧プレート４０が装着される。
【００２３】
リレー内蔵スイッチ装置３の回路構成は図１に示すように、共にマイクロコンピュータから構成されるメイン処理部２０及び通信処理部２１を中枢部として備え、電源端子１８と負荷端子１９間を接続する内部電路には内蔵リレー（図示せず）のスイッチ要素たるリレー接点ｒを挿入している。
【００２４】
メイン処理部２０は各スイッチＳＷ１〜ＳＷ３の入力処理と、負荷状態表示部２２の負荷状態表示ランプＬＡやＰＬＣモニタ回路部２３のＰＬＣモニタランプＬＢの表示制御と、内蔵リレー（図示せず）の制御／監視とに関する各処理を行う機能を、また通信処理部１６は電力線通信の送受信処理を行い、メイン処理部２３に受信情報を送ったり、逆にメイン処理部１５から情報を受け取って電力線通信の送信処理を行う機能を備えている。
【００２５】
一方電力線搬送信号の送受信を行うために構成要素として、伝送されてくる電力線搬送信号を電力線２から取り込むとともに、電力線搬送信号を電力線２上に重畳させて伝送させるための結合トランスからなる結合回路部２４と、電力線搬送信号を増幅して結合回路部２４を介して電力線２上に送信する処理を行う送信回路部２５と、結合回路部２４を通じて取り込んだ電力搬送信号から所定の周波数成分の信号を抽出する受信回路部２６とを備え、送信回路部２５の入力端には通信処理部２１の出力ポートに、また受信回路部２６の出力端には通信処理部２１の入力ポートを接続してある。
【００２６】
またメイン処理部２０及び通信処理部２１の動作電源、内蔵リレー（図示せず）の駆動電源、送信回路部２５内の増幅器の電源として電力線２により供給される商用電源から所定の直流電圧を得る電源回路部２７を備えている。
【００２７】
更にまたリレー内蔵スイッチ装置３には上記構成要素の他にメイン処理部２０にクロック信号を与える発振回路部３１、通信処理部２１にクロック信号を与える発振回路部３２、電源投入時、切断時などで電源電圧が不安定なときにメイン処理部２０をリセットするためのリセット回路３３を備えている。
【００２８】
ここで、メイン処理部２０の機能には、操作ハンドル１６の操作により操作スイッチＳＷ１の操作信号が入力ポートに入力すると、その操作情報を通信処理部２１に送出することで、通信処理部２１の処理を経て電力線搬送信号として電力線２上に重畳送信させる機能と、強制オン／オフスイッチＳＷの操作出力が入力ポートに入力されるか、或いは通信処理部２１を経て後述するリレー制御情報を受けると、出力ポートよりリレー駆動／モニタ回路部２８へ内蔵リレー（図示せず）を駆動する制御信号を出力して、内蔵リレー（図示せず）のリレー接点ｒをオン／オフさせ、負荷端子１９に接続されている照明負荷４の通電をオン／オフ制御する機能と、リレー駆動／モニタ回路部２８を介して内蔵リレー（図示せず）の状態変化を取り込み、そのリレー状態情報を通信処理部２１へ送出することで、電力線２にリレー状態信号を電力線搬送信号として重畳送信させる機能とがある。
【００２９】
またメイン処理部２０の他の機能としては、他のリレー内蔵スイッチ装置３からのリレー状態の情報を通信処理部２１を介して受け取ると、負荷状態表示部２２を通じて負荷状態表示ランプＬＡを点灯或いは消灯させる機能と、通信処理部２１が伝送するための情報を含む信号を送信回路部２５へ送出する際に、通信処理部２１から信号送信中という情報を受け取ると、ＰＬＣモニタ回路部２３を通じてのＰＬＣモニタランプＬＢを点灯させる機能がある。  
【００３０】
更にまたその他のメイン処理部２０の機能としては、設定スイッチＳＷ２が操作されて、操作信号が入力されると、その操作情報を通信処理部２１に送出して、通信処理部２１側に接続されている不揮発性メモリ２９に記憶されている後述する基本設定に必要な情報を読み出させ、送信回路部２５、結合回路部２４を介して電力線２上に電力線搬送信号として重畳送信させる機能と、設定スイッチＳＷ２の操作信号が一定時間以上連続して入力した場合、その長押し情報を通信処理部２１に送出して、通信処理部２１により不揮発性メモリ２９に記憶されている設定内容を消去させる機能とがある
尚後述する一括制御を行う場合はその制御、照合を行うためのコントローラ機能が必要であるが、この場合一元管理する必要があるため、設定ツールたるパソコン１２にて設定された照明制御システム設定の内容は、システム内の任意の一つのリレー内蔵スイッチ装置３やスイッチ装置５の不揮発メモリ３０に記憶するようになっており、この対応装置３又は５は後述する基本設定時に設定ツールによって決められる。ここで各不揮発性メモリ２９、３０としてＥＥＰＲＯＭのような電気的に書き換え可能なメモリを用いている。
【００３１】
一方通信処理部２１の機能としては、電力線２上に重畳されて伝送されてきた電力搬送信号が結合回路部２４から受信回路部２６に入って、受信回路部２６内のフィルタ（図示せず）で必要な周波数成分のみを取り出された信号を復調し、その復調して得られた情報をメイン処理部２０に送出する機能と、メイン処理部２０より送出されてきた各情報を所定形式の信号に変調し、その変調した信号を送信回路部２５でフィルタ（図示せず）により不要成分を除去した後、アンプ（図示せず）により信号を増幅し、結合回路部３２を介して電力線２上に電力線搬送信号として伝送させる送受信処理機能とを備えている。
【００３２】
スイッチ装置５は、操作専用の装置であって、リレー制御に関係するリレー駆動／モニタ回路部２８，強制オン／オフスイッチＳＷ３、リレー、リレー接点ｒを介して電力線２に接続される負荷端子１９をリレー内蔵スイッチ装置３の構成から無くした図４に示す構成となっている。従ってその他の構成及び機能はリレー内蔵装置３と同じであるので、リレー内蔵装置３と同じ構成要素には同じ符号を付して説明は省略する。
【００３３】
設定ツールたるパソコン１２を接続する電力線アダプタ１１はスイッチ装置５におけるメイン処理部２０の入出力側の構成を図５に示すようにパソコン１２の通信ポートと接続するためのドライバ回路部３４に代えたものであって、システム側から電力搬送信号として伝送されくる情報は通信処理部２１を介してメイン処理部２０に取り込み、メイン処理部２３によりパソコン１２に情報を伝送するための適宜なフォーマットに変換した後、ドライバ回路部３４を介してパソコン１２側へ送出するようになっている。また逆にパソコン１２側からの情報信号をドライバ回路部部３４を介して受け取ったメイン処理部２０は本実施形態で採用している電力線搬送信号に対応した形式に変換して通信処理部２１へ送出するようになっている。勿論システム上での識別を行うためのネットワークＩＤ及びノードＩＤが設定されているものとする。尚機能は異なるもののその他の構成要素はスイッチ装置５と同じであるので、同じ構成要素には同じ符号を付して説明は省略する。
【００３４】
而して上述のような構成においては、本実施形態のシステムでは、施工時に、どのリレー内蔵スイッチ装置３或いはスイッチ装置５の操作によりどのリレー内蔵スイッチ装置３に接続されている照明負荷４を制御するかの設定など、初期設定を必要とする。
【００３５】
その設定ツールとして本実施形態ではパソコン１２を使用するのである。勿論パソコン１２を用いるのは一実施形態であって、専用ツール等を用いても良い。
【００３６】
本実施形態で使用するパソコン１２には設定ツールとしての機能を実現するためのアプリケーションソフトウェアを搭載しており、使用に当たってはパソコン１２は電力線通信アダプタ１１を介して電力線２に接続した上でアプリケーションソフトウェアを起動することで、設定ツール機能が働くことになる。
【００３７】
まずこの設定ツール機能を用いて設定を行うに当たっては、各スイッチ装置３，５の電源をオンして稼働状態とし、次いで電力線２に接続されている電力線通信アダプタ１１に
パソコン１２を接続し、アプリケーションソフトウェアを起動して、設定ツール機能を働かせる。この設定ツール機能が稼働するとパソコン１２のモニタには初期画面（メニュー画面）が映し出される。
【００３８】
こメニュー画面から設定を行うための基本設定画面（図６）と、照明制御システム画面（図７及び図８）を呼び出すことができるようになる。
【００３９】
ここで図６の基本設定画面について説明する。この基本設定画面は、システムに接続される各スイッチ装置３，５（以下の設定での説明においては端末という）のアドレス及び詳細情報を設定する機能を有するもので、画面で表示される「Ｎｅｔｗｏｒｋ  ＩＤ」、「Ｎｅｔｗｏｒｋ  Ｋｅｙ」と付された表示欄には、新設の場合は設定ツール機能が決定した内容を表示、既設の場合は既設の内容を表示する。
【００４０】
また「件名ファイル」の表示欄には件名ファイル選択画面（説明は省略）で指定されたファイル名称を表示し、「アドレス未割当リスト」の表示欄にはアドレス（ノードＩＤ）未取得端末を検索して表示し、「メンバリスト」にはアドレス（ノードＩＤ）割り当て済の端末を表示する。ここでＤＳＮ（Ｄｅｖｉｃｅ  Ｓｅｒｉａｌ  Ｎｕｍｂｅｒ）は端末検出と、情報取り込み処理に用いる端末固有の番号であり、初期時に設定ツール側からこの番号を用いて各端末を呼び出してアドレス（ノードＩＤ）の割り当て情報を転送させ、アドレス未設定の場合には「アドレス未割当リスト」に当該ＤＳＮを表示するようになっている。尚ＰＯＫ（Ｐｒｉｖａｔｅ  Ｏｗｎｅｒｓｈｉｐ  Ｋｅｙ）情報とは通信の暗号化処理を行うために使用されるコードを言う。
【００４１】
さて、この基本設定画面において、アドレス未割当リスト欄に表示される端末側において設定スイッチＳＷ２を押し下げると、当該端末から基本設定情報が読み出されて電力線搬送信号により送られてくることになり、この基本設定情報を取り込むと、アドレス未割当リスト欄内の受信した端末のＰＯＫ情報に基本設定情報の“取得済”を表示する。尚複数端末が操作された場合には、ＰＯＫ情報を受信した順に並べ替える。
【００４２】
次に「アドレス割当」のボタンＰＢ１がクリックされると、設定ツール機能はＰＯＫ情報に“取得済”を表示している端末にアドレス（ノードＩＤ）を割り当てるとともに、その端末をアドレス未割当リスト欄から削除し、メンバリスト欄に表示させる。
【００４３】
このメンバリスト欄中の端末が選択され、「情報取得」のボタンＰＢ２がクリックされると、設定ツール機能は、端末情報欄に当該端末のＤＮＳ，機器名、メーカー名、品番、製造番号からなる詳細情報を表示する。
【００４４】
そしてメンバリスト欄に表示されている端末に関する端末情報欄で、キーボードによりニックネームが入力され、「設定」のボタンＰＢ３がクリックされると、設定ツール機能は、当該端末に対してニックネームプロパティ値及び該値を不揮発性メモリ２９に書き込むように指令するコマンドを電力線搬送信号にて送信する処理を行う。
【００４５】
次いでメンバリスト欄に表示されている端末に関する端末情報欄で、ロケーションがキーボードにより入力され、「設定」のボタンＰＢ４がクリックされると、設定ツール機能は当該端末にロケーション情報プロパティ値及び該値を不揮発性メモリ２９に書き込むように指令するコマンドを電力線搬送信号にて送信する処理を行う。
【００４６】
この後、メンバリスト欄に表示されている端末において、設定スイッチＳＷ２が押し下げら、この押し下げられたことを示す情報が電力線搬送信号により伝送されてくると、設定ツール機能ではメンバリスト欄の当該端末の表示部位をハイライト表示する。尚この表示は後着優先とする。
【００４７】
一方設定内容を削除する場合には、メンバリスト欄に表示されている端末を選択し、「削除」のボタンＰＢ５をクリックすれば良く、設定ツール機能はこのクリックに呼応して当該端末に対してノードＩＤの設定を削除を指令するコマンドを電力線搬送信号により送信する処理を行うとともに、メンバリスト欄から当該端末の表示を削除し、アドレス未割当リスト欄に表示する処理を行う。
【００４８】
またアドレス未取得の端末を再検索したい場合には「再検索」のボタンＰＢ６をクリックすれば良く、設定ツール機能は、このクリックがあると、未取得端末を再検索してアドレス未割当リスト欄に表示する処理を行う。
【００４９】
また画面上の「中断」のボタンＰＢ７がクリックされると、設定ツール機能は、システムより一時的に切り離された状態になり、再度クリックされると、元の接続状態となって、ボタンＰＢ７が押されていない状態に戻る。
【００５０】
尚「戻る」のボタンＰＢ８は、メニュー画面に戻るためのボタンである。
【００５１】
このようにして図６の基本設定画面では端末のアドレス、及び詳細情報を設定することができるのである。
【００５２】
図７の照明システム設定画面は、照明システムを構築する端末の個別、グループ、パターン制御を行うために必要な情報設定を行うための画面であり、照明システム用端末のノードＩＤ、機器名、機種、機能とそのアドレスＮｏと、ニックネーム、ローケーションの各欄を端末リスト欄に表示する。
【００５３】
ここで  また機種名の「Ｓｗｉｔｃｈ」はスイッチ装置５を、「ＳｗｉｔｃｈＲｅｌａｙ」はリレー内蔵スイッチ装置３を示し、機種の「Ｓｗｉｔｃｈ」は上記装置３，５の操作スイッチＳＷ１を、「Ｒｅｌａｙ」はリレー内蔵スイッチ装置３の内蔵リレーを示す。
【００５４】
機能欄はそれぞれの機種に対応する制御内容が表示され、「個別」は端末（リレー内蔵スイッチ装置３，スイッチ装置５）の操作スイッチ機能（機種）に割り当てられるもので、１対１で対応付けられるリレー内蔵スイッチ装置３の内蔵リレー（図示せず）をオン／オフして照明負荷４を点灯／消灯させる個別制御機能を示す。また「Ｇ」はグループを意味し、上記の操作スイッチＳＷ１に割り当てられるもので、対応付けられた複数のリレー内蔵スイッチ装置３の内蔵リレー（図示せず）を一括してオン／オフすることで照明負荷４を一括で点灯／消灯するグループ制御機能を示す。また「Ｐ」はパターンを意味し、上記の操作スイッチ機能に割り当てられるもので、複数のリレー内蔵スイッチ装置３の内蔵リレー（図示せず）を駆動して、それぞれに接続される照明負荷４を一括で任意の状態（オン又はオフ）に設定するパターン制御機能を示す。「Ｒ」は内蔵リレーを意味し、リレー内蔵スイッチ装置３の内蔵リレーに割り当てられる機能を示す。
【００５５】
更に「アドレスＮｏ」の表示欄は、各端末に設定されている機能に対応するアドレスＮｏを表示する欄であり、例えばパターン制御機能ＰでアドレスＮｏが「１」の場合に「Ｐ１」という機能アドレスが設定されることになる。
【００５６】
この画面で端末の機能アドレスを設定する場合には、まず対応する端末のアドレスＮｏ欄を選択して、アドレスＮｏを入力し、「機能アドレスＮｏ設定」のボタンＰＢ１０をクリックする。これにより設定ツール機能は、当該端末にスイッチの機能アドレス又はリレーの機能アドレスのプロパティ値及びそれを不揮発メモリ２９に登録設定することを指令するコマンドを電力線搬送信号にて送信する処理を行う。
【００５７】
また制御内容を設定する場合には対応する端末のアドレスＮｏを選択し、「制御内容設定」のボタンＰＢ１１をクリックする。この際設定ツール機能は、対応するアドレスＮｏの部位をハイライト表示する処理を行う。そして選択された端末に対応する「制御設定画面」（図８参照）へ移行する処理を行う。
【００５８】
また既に設定されている制御設定内容を確認したい場合には、端末のアドレスＮｏを選択し、「設定内容確認」のボタンＰＢ１２をクリックすれば良い。この際設定ツール機能は、対応するアドレスＮｏの部位をハイライト表示する処理を行う。そして選択された端末に関する「制御設定画面」を表示する処理を行う。
【００５９】
更に、ニックネーム欄にニックネームをキーボードで入力して「ニックネーム変更」のボタンＰＢ１３をクリックすれば、設定ツール機能から当該端末にニックネームプロパティ値及びニックネーム変更を指令するコマンドを電力線搬送信号にて送信する処理を行う。これにより当該端末のニックネームが変更されることになる。
【００６０】
尚「戻る」のボタンＰＢ１４はメニュー画面に戻るためのボタンである。
【００６１】
さて図８に示す制御設定画面では、各端末の操作スイッチＳＷ１に対応する制御内容（個別制御、パターン制御、グループ制御）と各内蔵リレーの機能との対応付けと制御に必要な諸元値を設定する画面であり、図７の「照明システム設定画面」で選択された端末のノードＩＤ、機能及びアドレスＮｏ、制御内容（個別制御／グループ制御／パターン制御）と、システムに接続されているリレー内蔵スイッチ装置３のリレー機能のリストが表示される。尚制御内容は選択された端末の機能の設定内容に基づき表示され、スイッチアドレスは該機能とアドレスＮｏの設定内容に基づいて表示される。
【００６２】
この表示画面において当該スイッチアドレスＰ１の操作スイッチＳＷ１の操作時にパターン制御される対象となるリレーアドレスに対する設定を行う場合には、制御対象となるリレーアドレスのＯＮ／ＯＦＦ欄に“ＯＮ”を入力すれば、スイッチアドレスＰ１の操作スイッチＳＷ１が操作されたときに、当該リレーアドレスに対応する内蔵リレーが駆動され照明負荷４をオンする対象として設定される。この場合対象となるリレーアドレスの選択は複数に対して可能である。また照明負荷４を遅れ消灯又は一時点灯を行う場合には、“遅れ”又は“一時”をタイマ設定欄に設定値として入力し、またタイマ時間をタイマ時間欄に入力すれば、当該リレーアドレスに対応する内蔵リレーがタイマによって制御されることになる。
【００６３】
このパターン制御設定の場合には設定値の入力後、表示方法をパターン制御表示方法に対応する選択欄のラジオボタンをクリックで選択する。
【００６４】
ここで「標準」が選択されると、パターン一致時に負荷状態表示部２２の負荷状態表示ランプＬＡを赤点灯し、パターン不一致時に緑点灯する表示モードが設定される。また「」逆表示」が選択されると、パターン一致時に負荷状態表示部２２の負荷状態表示ランプＬＡを緑点灯し、パターン不一致時に赤点灯する表示モードが設定される。
【００６５】
このようにして設定が終了した後、「設定」のボタンＰＢ２０をクリックする。これにより設定ツール機能は、上述した一元管理に対応する端末に動作モード（パターン制御）、リレー設定情報（リレーアドレス、グループ／パターンの設定値、タイマ設定値、タイマ時間）のプロパティ値及び不揮発性メモリ３０に登録設定を指令するコマンドをを電力線搬送信号にて送信する処理を行う。
【００６６】
尚グループ制御の場合には、制御対処となるリレーアドレスのＯＮ／ＯＦＦ欄に“ＯＮ”を入力し（複数入力可）、表示方法をグループ制御表示方法に対応する選択欄のラジオボタンをクリックして選択すれば良い。このグループ制御表示方法で「標準」が選択されると、オン操作時に負荷状態表示部２２の負荷状態表示ランプＬＡを赤点灯（グループ内の全ての照明負荷４がオフにて緑点灯）し、またオフ操作時には緑点灯（グループ内の全ての照明負荷４がオンにて赤点灯）する表示モードが設定される。一方「グループ監視」が選択されると、オン操作時には負荷状態表示部２２の負荷状態表示ランプＬＡを赤点灯（グループ内の全ての照明負荷４がオフにて緑点灯）、オフ操作時には緑点灯（グループ内で一つの照明負荷４でもオンにて赤点灯）する表示モードが設定される。尚設定値の登録はパターン制御の場合と同様に一元的管理を行うために選択された端末の不揮発メモリ３０に対して為される。
【００６７】
個別制御に対応するスイッチアドレスに対する設定を行う場合も制御対象となるリレーアドレスに対応した各欄に設定値を入力すれば良いい。この個別制御の場合にあっては設定値を当該スイッチアドレスの端末の不揮発性メモリ２９に登録するように処理が為される。
【００６８】
ところで図８の画面で「内容クリア」のボタンＰＢ２１をクリックすると、設定内容を消去することができる。つまりボタンＰＢ２１がクリックされると、設定ツール機能は当該スイッチアドレスに対応する端末で登録設定されている設定値に関するプロパティ値のクリアを指令するコマンドを電力線搬送信号で送信する処理を行うとともに、画面上のリレーリストのＯＮ／ＯＦＦ、タイマ設定、タイマ時間の表示をクリアする。
【００６９】
尚「戻る」のボタンＰＢ２２は、メニュー画面に戻るためのボタンである。
【００７０】
以上のようにパソコン１２上で動作する設定ツール機能によって基本設定及び照明制御システム制御設定が終了した後の各端末（リレー内蔵スイッチ装置３と、スイッチ装置５）を用いた操作と制御について説明する。
【００７１】
図９は個別制御に対応するフローチャートを示しており、図において操作側装置は、対応関係が予め設定されているリレーアドレスを持つリレー内蔵スイッチ装置３の照明負荷４を制御対象として設定されたスイッチアドレスを持つ装置に対応する。
【００７２】
まず、操作側装置で操作スイッチＳＷ１が押し下げられると、当該操作側装置のメイン処理部２０は負荷状態表示部２２の負荷状態表示ランプＬＡの点灯を制御して仮表示状態とする。
【００７３】
次に当該操作側装置ではメイン処理部２０から通信処理部２１へ対応するリレー内蔵スイッチ装置３宛の制御情報を生成し、信処理部２１はこの生成された制御情報を含む制御信号を電力線搬送信号として送信回路部２５，結合回路部２４を通じて電力線２上に重畳させ、対応するリレー内蔵スイッチ装置３へ伝送する。この制御情報には宛先のノードＩＤ（及びネットワークＩＤ）と自己のノードＩＤと、制御内容が含まれる。
【００７４】
リレー内蔵スイッチ装置３の通信処理部２１では、結合回路部２４，受信回路部２６を通じて受信された電力線搬送信号を取り込んで制御情報を復調し、この復調された制御情報が自己のノードＩＤ宛であると、メイン処理部２０へ送る。
【００７５】
同時に通信処理部２１は送信回路部２５，結合回路部２４を介してＡＣＫ信号を電力線搬送信号により電力線２上に重畳させ、制御情報を送ってきた操作側装置宛に返信する。
【００７６】
一方制御情報を受け取ったメイン処理部２０は、制御情報の内容に基づいてリレー駆動／モニタ回路１９を通じて内蔵リレー（図示せず）を制御してリレー接点ｒをオン又はオフして照明負荷４を点灯／消灯させるとともに、リレー駆動／モニタ回路１９からリレー状態変化の情報を取り込み、この情報を通信処理部２１へ送出する。
【００７７】
通信処理部２１は送信回路部２５，結合回路部２４を介して、リレー状態変化の情報を含むリレー状態信号を電力線搬送信号により電力線２上に重畳させ、対応する操作側装置宛へ伝送する。
【００７８】
操作側装置の通信処理部２１では結合回路部２4及び受信回路部２６を通じて電力線搬送信号を受信してリレー状態情報を復調し、復調したリレー状態情報が自己のノードＩＤ宛であると、メイン処理部２０に送出する。同時に通信処理部２１は送信回路部２５，結合回路部２４を介してＡＣＫ信号を電力線搬送信号により電力線２上に重畳させ、対応するリレー内蔵スイッチ装置３宛へ返信する。
【００７９】
またメイン処理部２０は、負荷状態表示部２２の負荷状態表示ランプＬＡの点灯状態をリレー状態情報に基づいて制御して本表示とする。
【００８０】
これにより操作側装置の負荷状態表示ランプＬＡの状態により制御対象の照明負荷４の状態を知ることができるのである。
【００８１】
図１０はグループ制御やパターン制御の一括制御動作のフローチャートを示している。
【００８２】
この図において操作側装置は、パターン制御或いはグループ制御に対応関係が予め設定されているリレーアドレスを持つリレー内蔵スイッチ装置３に対応関係が設定されているスイッチアドレスを持つリレー内蔵スイッチ装置３又はスイッチ装置５に対応する。コントローラ側装置は一括制御を一元管理するために照明システム制御設定情報が登録されているリレー内蔵スイッチ装置３又はスイッチ装置５に対応する。
【００８３】
まず、操作側装置で操作スイッチＳＷ１が押し下げられると、当該操作側装置のメイン処理部２０は負荷状態表示部２２の負荷状態表示ランプＬＡの点灯を制御して仮表示状態とする。
【００８４】
次に当該操作側装置のメイン処理部２０は通信処理部２１へ制御情報を送り、通信処理部２１は、送信回路部２５，結合回路部２４を通じて電力線２上に上記制御情報を持つ制御信号を電力線搬送信号にて重畳させ、対応するコントローラ側装置宛へ伝送する。
【００８５】
対応するコントローラ側装置の通信処理部２１では、結合回路部２４，受信回路部２６を通じて受信した電力線搬送信号から制御情報を復調し、この復調した制御情報が自己のノードＩＤ宛である場合、メイン処理部２０に送出する。同時に通信処理部２１は送信回路部２５，結合回路部２４を介してＡＣＫ信号を電力線搬送信号により電力線２上に重畳させ、操作側装置宛へ返信する。
【００８６】
また制御情報を受け取ったメイン処理部２０は不揮発性メモリ３０内に登録されている操作側装置に対応する照明システム制御設定内容に基づいて一括制御対象のリレーアドレスを持つリレー内蔵スイッチ装置３…宛の制御情報を作成し、この制御情報を信号処理部２１へ送る。信号処理部２１はこの制御情報を含む制御信号を電力線搬送信号として送信回路部２５，結合回路部２４を介して電力線２上に重畳させ、対応するリレー内蔵スイッチ装置３…へ伝送する。
【００８７】
対応する各リレー内蔵スイッチ装置３の通信処理部２１では、結合回路部２４、受信回路部２６を通じて受信した電力線搬送信号から制御情報を復調する。この復調により自己ＩＤ宛の制御情報であると、制御情報をメイン処理部２０へ送出する。メイン処理部２０では制御情報内に基づいて内蔵リレー（図示せず）を制御してリレー接点ｒをオン又はオフして照明負荷４を点灯又は消灯させるとともに、リレー駆動／モニタ回路１９からリレー状態変化の情報を取り込み、この情報を通信処理部２１へ送出する。通信処理部２１はこの情報を含むリレー状態信号を電力線搬送信号として送信回路部２５，結合回路部２４を介して電力線２上に重畳させ、対応するコントローラ側装置宛へ伝送する。
【００８８】
コントローラ側装置の通信処理部２１では、結合回路部２4及び受信回路部２６を通じて受信した電力線搬送信号からリレー状態情報を復調し、自己ノードＩＤ宛であればメイン処理部２０に送る。同時に通信処理部２１は送信回路部２５，結合回路部２４を介してＡＣＫ信号を電力線搬送信号により電力線２上に重畳させ、対応するリレー内蔵スイッチ装置３…へ伝送する。
【００８９】
一方リレー状態情報を受け取ったメイン処理部２０は、予め設定されている照明制御システム設定の内容に従って表示内容の照合を行って、表示情報を信号処理部２１へ送る。信号処理部２１は、送信回路部２５，結合回路部２４を介して表示情報を含む表示信号を電力線搬送信号により電力線２上に重畳し、対応する操作側装置宛へ伝送する。
【００９０】
操作側装置の通信処理部２１では、結合回路部２4及び受信回路部２６を通じて受信した電力線搬送信号から表示情報を復調し、自己ノードＩＤ宛の情報であればメイン処理部２０に送る。同時に通信処理部２１はＡＣＫ信号を電力線搬送信号として送信回路部２５，結合回路部２４を介して電力線２上に送信して対応するコントローラ側装置宛へ返信する。またメイン処理部２０は、負荷状態表示部２２の負荷状態表示ランプＬＡの点灯状態を表示情報に基づいて制御して本表示とする。
【００９１】
これにより操作側装置の負荷状態表示ランプＬＡの状態により一括制御の状態を知ることができるのである。
【００９２】
図１１はタイマ制御に対応するフローチャートを示している。このタイマ制御においては、リレー内蔵スイッチ装置３が、操作側装置から受け取った制御情報の制御内容に基づいて内蔵リレー（図示せず）の制御動作を行い、この制御動作に伴うリレー状態変化の情報に基づいたリレー状態信号を操作側装置へ送って操作側装置の負荷状態表示ランプＬＡを本表示とするまでは、上述の個別制御と同じであるが、上記制御情報の制御内容にタイマ設置値（一時点灯、遅れ消灯など）とタイマ時間が含まれている場合、この内容に基づいてメイン制御部２０は内蔵タイマによる時間カウントを行う。図示例一時点灯の場合を示しており、この場合上記リレー制御と同時にタイマによる時間カウントを開始する。
【００９３】
そしてタイマ時間に対応した時間のカウントが終了すると、メイン制御部２０は、内蔵リレーの状態を反転させる制御をリレー駆動／モニタ回路２８を通じて行うとともにこの内蔵リレーの制御動作に伴うリレー状態変化の情報を受け取ると、この情報に基づいたリレー状態信号を上述と同様に操作側装置宛へ送って操作側装置の負荷状態表示ランプＬＡの点灯状態をリレー制御状態の変化に対応させる。この場合も本表示となる。
【００９４】
タイマ制御においても、操作側装置の負荷状態表示ランプＬＡの状態により制御対象の照明負荷４の状態変化を知ることができるのである。このタイマ制御は一括制御においても行えるのは勿論である。
【００９５】
尚上記操作と制御の説明は、リレー内蔵スイッチ装置３とスイッチ装置５に基づいて説明しているが、集中操作ユニット９やＬＡＮやインターネット上の機器を用いた制御と、監視もコントロールユニット６を仲介させることで行え、この場合コントロールユニット６にノードＩＤ（及びネットワークＩＤ）を割り当て、情報の授受を行うようにする。
【００９６】
ところで、電力線２上に不特定な様々な機器が接続されるため、それら機器からノイズが出て至り、それらが低いインピーダンスを持っていたりすると、電力線搬送信号による制御・監視が正常に行えない場合がある。このような場合予め設置されているものについては、ノイズフィルタなどで対処できるが、突発的にそのような機器が接続された場合には対処できない。このような場合本実施形態では、リレー内蔵スイッチ装置３の操作ハンドル１６を装置本体１５から外して強制オン／オフスイッチＳＷ３を操作すれば、メイン処理部２０の制御の下で、リレー駆動／モニタ回路２８を通じて内蔵リレーを駆動し照明負荷４を強制的に点灯若しくは消灯させることができる。
【００９７】
尚上記実施形態では制御対象を照明負荷４としているが、その他の電気機器を制御対象の負荷として本システムに用いることもできるのは勿論である。
【図面の簡単な説明】
【００９８】
【図１】実施形態のシステム構成図である。
【図２】同上に用いるリレー内蔵スイッチ装置を示し、（ａ）は正面図、（ｂ）は背面図、（ｃ）は操作ハンドルを外した状態の装置本体の一部正面図である。
【図３】同上に用いるリレー内蔵スイッチ装置の回路構成図である。
【図４】同上に用いるスイッチ装置の回路構成図である。
【図５】同上に用いる電力線通信アダプタの回路構成図である。
【図６】同上に用いる設定ツール機能の基本設定画面の表示例図である。
【図７】同上に用いる設定ツール機能の照明システム設定画面の表示例図である。
【図８】同上に用いる設定ツール機能の照明システム制御設定画面の表示例図である。
【図９】同上の個別制御の動作説明用流れ図である。
【図１０】同上の一括制御の動作説明用流れ図である。
【図１１】同上のタイマ制御の動作説明用流れ図である。
【符号の説明】
【００９９】
１  分電盤
２  電力線
３  リレー内蔵スイッチ装置
４  照明負荷
５  スイッチ装置
６  コントロールユニット
７  専用信号線
８  ホームゲートウェイ
９  集中操作ユニット
１０  ＬＡＮ
１１  電力線通信アダプタ
１２  パソコン
ＳＷ１  操作スイッチ
【図１】
2005184555.tif 000003
【図２】
2005184555.tif 000004
【図３】
2005184555.tif 000005
【図４】
2005184555.tif 000006
【図５】
2005184555.tif 000007
【図９】
2005184555.tif 000008
【図１０】
2005184555.tif 000009
【図１１】
2005184555.tif 000010
【図６】
2005184555.tif 000011
【図７】
2005184555.tif 000012
【図８】
2005184555.tif 000013